Podtech/llm-jp-corpus-v4-ja_patent huggingface dataset:
(57)【要約】      （修正有）【課題】てこの原理を応用し、発電抵抗の節約を計った、車輌の発電装置を提供する。【解決手段】タイヤ車輪６の車軸５に、タイヤ車輪６の直径に近い歯車７を設け、其の歯車７の下部に歯車８をかみ合わせ、さらに歯車８に軸９を介して発電機１０を装着することにより、てこの原理を応用した、車輌における発電装置を構成する。【選択図】図４
2007230532.tif 000002
【特許請求の範囲】
【請求項１】
車輪（６）の軸（５）の水平線より下部のタイヤ又は車軸（５）にタイヤの外径に近い大きさの歯車（７）を設け、其の歯車の軸（５）の水平線より下部の歯部に（８）の歯車の歯部を噛合せ、（９）の車軸に（１０）の発電機を備へた発電装置。
【発明の詳細な説明】
【技術分野】
【０００１】本発明は車輌などにおける発電装置に関するものである。
【背景技術】
【０００２】従来の車輌に関しては、主にエンジン直結方法、自転車などは何の意味もなく、タイヤの各部に取付けられて居る。
【発明の開示】
【発明が解決しようとする課題】
【０００３】てこの原理を応用して、発電抵抗の節約を図る事を目的として居る。
【課題を解決するための手段】
【０００４】上部の目的を達成するために、従来の発電方法と異りタイヤの下部に直接又はタイヤ車軸に取付けられた歯車の下部の歯部を介して、発電する如くした事を特徴としたものである。
【発明の効果】
【０００５】自転車又は乗用車でエンジンによる発電方法に比べ、本発明の発電機の抵抗の節約は約５０％位である。
【発明を実施するための最良の形態】
【０００６】第１図参照、今棒を（１）の地面の上に立て、棒の下部（２）を動かぬように固定し、（３）の部分を矢印の方向に動かすと、てこの原理で（３）の部分より（４）の部分の方が距離は半分で力は倍になる、第２図参照、棒ではなくて車輪にすると、車軸（５）を矢印の方向に回転力を加へると、接地する部分の摩擦抵抗が大きいので、軸（５）は其の反動で抵抗力の強さだけ矢印の方向に進む事になる、つまり軸（５）に加わった反動力の分だけ矢印の方向に引かれる事と同じになるので、（４）の部分は（５）の軸の倍の力が加わる、そして車輪の場合は棒の場合と異り、車軸（５）を動かす距離と（４）の部分が動く距離は同じであるので、同じ距離が動くのに（４）の部分は（５）の部分の倍の力が加わる事になる。
第３図、第４図参照、タイヤ車輪（５）の軸にタイヤの直径に近い（７）の歯車を装着し、其の歯車の下部に（８）の歯車の歯部が噛合さる如く装着し、其の歯車の軸（９）に発電機を装着させる事で車輪の位置の抵抗力を応用して其の効率を高める如くしたものである。車輪においては中心部に力を加へても、上部は軽く容易に、下部は動くのに非常に力が要る、つまり中心部の力より上部の力は弱く下部の力は強い、それだけ中心部の力で中心部よりより強い力が得られる事になる。
【図面の簡単な説明】
【０００７】
【図１】  てこの説明図
【図２】  車輪とてこの関係図
【図３】  本発明の正面図
【図４】  本発明の側面図
【符号の説明】
【０００８】  １  地面
２  てこの場合の支点
３  てこの場合の作用点
４  てこの場合の力点
５  タイヤ車輪の車軸
６  タイヤ車輪
７  （５）の軸に装着した歯車
８  （７）の歯車に噛合す歯車
９  （８）の歯車の軸
１０  （９）の軸に装着した発電機
【図１】
2007230532.tif 000003
【図２】
2007230532.tif 000004
【図３】
2007230532.tif 000005
【図４】
2007230532.tif 000006
(57)【要約】      （修正有）【課題】てこの原理を応用した、車輌の駆動装置を提供する。【解決手段】タイヤ車輪の車軸にタイヤの外径に近い大きさの歯車を設け、其の歯車の軸の水平線より上部の歯部に歯車の歯部を噛み合わせ車軸よりエンジン又はモーターの動力を伝えるごとくした駆動装置。更に其の上部の歯車の軸に設けた別の歯車の軸の水平線より下部の歯部にその歯車を噛み合わせ、エンジン又はモーターの動力を伝えるごとくした事を特微とした、車輌における駆動装置。【選択図】図３
2007230534.tif 000002
【特許請求の範囲】
【請求項１】
第３図、第４図に示す如く、タイヤ車輪（６）の車輪（５）にタイヤの外径に近い大きさの歯車（７）を設け、其の歯車の軸（５）の水平線より上部の歯部に（８）の歯車の歯部を噛合せ、（９）の車軸よりエンジン又はモーターの動力を伝へる如くした駆動装置。
【請求項２】
第５図、第６図に示す如く、タイヤ車輪（６）の車軸（５）にタイヤの外径に近い大きさの歯車（７）を設け、其の歯車の軸（５）の水平線より上部の歯部に（８）の歯車の歯部を噛合せ、其の歯車の軸（９）に（１０）の歯車を装着し、軸（９）の水平線より下部の歯部に（１１）の歯車の歯部を噛合せ、其の歯車の軸（１２）にエンジン又はモーターの動力を伝へる如くした駆動装置。
【発明の詳細な説明】
【技術分野】
【０００１】本発明は車輌などにおける駆動装置に関するものである。
【背景技術】
【０００２】従来の車輌などにおける駆動装置にあつては、エンジンなどの動力を伝へるのに主としてタイヤ車軸に伝へて居たものがほとんどであつた。
【発明の開示】
【発明が解決しようとする課題】
【０００３】てこの原理を応用して、車輌の走行入力の節約を図る事を目的として居る。
【課題を解決するための手段】
【０００４】上部の目的を達成するために、従来の車軸に伝へてきた動力を、車軸に装置した歯車の上部に伝へる如くしたもので、又其の効率を高めるために、更に其の歯車の軸に別の歯車を設けて、其の歯車の下部の歯部を介して動力を伝へる如くした事を特微としたものである。
【発明の効果】
【０００５】請求項１の構成の時の駆動力の節約は約３０％〜４０％位、請求項２の場合はタイヤ車輪の径の大小、タイヤ車軸に伝へる歯車の径の大小によって５０％〜６０％位の節約を図る事が簡単な実験の結果可能性がある事が解つた。
【発明を実施するための最良の形態】
【０００６】第１図参照、今棒を（１）の地面の上に立て、棒の下部（２）を動かぬ様に固定し、（４）の部分を矢印の方向に動かすと、てこの原理で（３）の部分より（４）の部分の方が半分の力ですむが、動く距離は（３）の部分の倍である、第２図参照、棒でなくて車輪にすると、車軸（５）を矢印の方向に回転力を加へると、接地する部分の摩擦抵抗が大きいので軸（５）は其の反動で抵抗力の強さだけ矢印の方向に進む、つまり軸（５）に加わった反動力だけ矢印の方向に引かれる事と同じになる、今（４）の部分を矢印の方向に力を加へた場合（５）の部分の力の半分ですむ事になり、距離は（５）の軸の倍になる筈であるが、車輪の場合は棒の場合と異り、車軸（５）を動かす距離と（４）の部分が動く距離は同じであるので、同じ距離を動かすのに（４）は半分ですむ事になる。
第３図、第４図参照、タイヤ車輪（５）の軸にタイヤの直径に近い（７）の歯車を装着し、其の歯車の上部の歯部に（８）の歯車の歯部が噛合さる如く装着し、其の歯車の軸（９）にエンジン又はモーターの動力を伝へる、更に其の効率を高めるために第５図、第６図参照、（８）の歯車の軸（９）に（１０）の歯車を装着し、其の下部の歯部に（１１）の歯車の歯部を噛合せて回転させると、タイヤの地面に接する部分から（１０）の歯車の下部の歯部迄の距離が長くなり、てこの力点の効果はよりよくなる事になる、尚（１０）の歯車の直径を小さくする事で１層その効果は高まる。
【図面の簡単な説明】
【０００７】
【図１】    てこの説明図
【図２】    車輪とてこの関係図
【図３】    本発明の請求項１の正面図
【図４】    本発明の請求項１の側面図
【図５】    本発明の請求項２の正面図
【図６】    本発明の請求項２の側面図
【符号の説明】
【０００８】１        地面
２        てこの場合の支点
３        てこの場合の作用点
４        てこの場合の力点
５        タイヤ車輪の車軸
６        タイヤ車輪
７        （５）の軸に装着した歯車
８        （７）の歯車に噛合わす歯車
９        （８）の歯車の軸
１０      （９）の軸に装着された歯車
１１      （１０）の歯車に噛合わす歯車
１２      （１１）の歯車の軸
【図１】
2007230534.tif 000003
【図２】
2007230534.tif 000004
【図３】
2007230534.tif 000005
【図４】
2007230534.tif 000006
【図５】
2007230534.tif 000007
【図６】
2007230534.tif 000008
(57)【要約】【課題】  大型トラックの動力機構を他の作業機械の架動力を適用することによって、機械本体のみで、この本体をトラックの荷台に搭載すれば、どこででも作業が可能となる。【解決手段】  トラック荷台下の動力機構、例えば変速機あるいは推進軸にギヤーを設け、荷台上のギヤー装置とチエン又はベルトを連結して、トラック荷台上に搭載した各種の機械を架動させることによって、全ての使用機種のエンジン又はモーターが不要となり、使用者の経費が削減できる。【選択図】  図１
2007230461.tif 000002
【特許請求の範囲】
【請求項１】
トラック荷台下の変速機に主スポロケットを取付け、荷台上に作業用機械駆動用のギヤー装置を設けて副スポロケットを取付けること、荷台部分を開口し、主スポロケットと副スポロケットをチエン又はベルトで接続して変速機の駆動回転を荷台上の副スポロケットを作動させ、荷台上と各種の作業用機械を搭載して副スポロケットに接続させて該作業機
械を架動させることを特徴としたトラック車の動力源の利用方法。
【請求項２】
トラック荷台下のプロペラシヤフトにチエン用ギヤー又はプーリーを取付け荷台上に作業用機械駆動用のギヤー装置を設けて副スポロケットを取付けることを特徴とした請求項１に記載のトラック車の動力源の利用方法。
【発明の詳細な説明】
【技術分野】
【０００１】
本発明は、強力なエンジンを搭載する大型のトラックの原動力を他の機械の原動力として利用する方法に関する。
【背景技術】
【０００２】
従来全ての作業用機械は、機械本体とエンジンを別々にし、使用に当ってエンジン又はモーターを置き機械本体を設置して作業を行っていた。
【特許文献１】特開平０７−３１７９８１号公報
【発明の開示】
【発明が解決しようとする課題】
【０００３】
発明者は、コンプレッサー、発電機又は揚水ポンプ等すべての機械が本体とエンジン又はモーターを別々に設置して使用する無駄を省くために、トラックの強力なエンジンから伝達される原動力を利用することを考え、本発明を提供するものである。
【課題を解決するための手段】
【０００４】
出願人は先に軽トラック車のエンジンの回転を利用した多目的に利用できる軽トラックを開発したが、更に開発を進めた結果本発明に到達したもので本発明は、強力なエンジンを備えた大型トラックを利用し、またエンジンから伝達される駆動力を利用するに当って変速機構と推進軸から回転力を引出すことに成功した。この変速機あるいは推進軸はトラックの荷台に対しての位置関係、また変速機も推進軸も殆ど露出した状態で荷台下に装備されていることに起因する。
【０００５】
本発明は、前記、荷台下に配置されている変速機あるいは推進軸の位置上の荷台を開口し、この開口部にギヤー装置を設け、これに副スポロケットを装着し、変速機あるいは推進軸に主スポロケットを取付け、これと荷台上のギヤー装置に取付けた副スポロケットをチエン又はベルトを掛けて連達するものである。
【発明の効果】
【０００６】
上述のように本発明は、強力なエンジンを有するトラックを利用するため各種の作業機械に適用できる。そしてトラック上であるため運搬・設置・作業開始と行動が円滑になり、能率の向上と、使用機械の動力が不用となるため、使用する側の経費が削減できることで、その効果は卓越して発揮される。
【発明を実施するための最良の形態】
【０００７】
添付図面により本発明の実施するための最良の形態を説明すると、図１はトラックの動力伝達系を示す略図であって、当然のことながらトラックの下部に設備されていて、この上部には図２に示されているように車体が載置されトラックを形成する。
【実施例】
【０００８】
図について本発明の実施例を説明すると、図中のＡは動力源として変速機側から動力源を得る方式の請求項１に記載の図示であり、Ｂは動力源を推進シヤフト側からシヤフトの回転から得る方式の請求項２に記載の図示を示している。
【０００９】
請求項１に記載のＡ方式および請求項２に記載のＢ方式とも動力を引出す位置が異なるが構成は同じであるため同一図面中で同一符号によって説明する。
【００１０】
Ａ側において符号（２）は主スポロケットであり、変速機のカウンターシヤフトから対比される回転にギヤーを設け、シヤフトによって主スポロケット（２）を駆動する。また推進軸側Ｂは終駆動機のデフフランジに主スポロケット（２）を取付けて回転駆動を得る。
【００１１】
Ａ方式、Ｂ方式共にトラックの荷台の対応位置を開口し、荷台上のこの開口部（図示していない）にギヤー装置を設け、このギヤー装置に副スポロケット（４）を設け、荷台下の主スポロケット（２）と荷台上の副スポロケット（４）をチエン又はベルト（３）で連結して荷台上に駆動装置が完成される。
【００１２】
したがって、この荷台上に作業機械（５）を配置し、作業機械（５）にシヤフトを介して副スポロケット（４）の回転による動力を導入すれば作業機械（５）は架動を開始する。
【産業上の利用可能性】
【００１３】
本発明は、強力な馬力のある大型トラックを利用するもので、行動範囲が広がり、農業関係、工業関係、林業関係は勿論のこと、例えば、発電機を架動すれば、本発明一台の大型トラック動力で、地方の中小都市全部の電力をまかなうことも可能であるため発明の利用価値は極めて大きい。
【図面の簡単な説明】
【００１４】
【図１】一般的な自動車の動力伝達図
【図２】トラックの側面図からの実施例図
【符号の説明】
【００１５】
２  主スポロケット
３  チエン又はベルト
４  副スポロケット
５  作業機械
６  伝達シヤフト
Ａ  請求項１の実施例
Ｂ  請求項２の実施例
【図１】
2007230461.tif 000003
【図２】
2007230461.tif 000004
(57)【要約】【課題】本発明は、栞紐の付いていない書籍や表紙固定用バンドの付いていない手帳、ノート類に着脱自在なゴム製紐を装着することにより、落ちない栞および表紙を固定することが出来る紐を提供する。【手段】３本のゴム紐（帯状）の両端を結合させる。２本で手帳、書籍等の裏表紙を挟むことでゴムの弾力を利用して装着する。残りの１本を表紙に回して表紙固定バンド、頁に挿むことで栞として使用する。  本発明は、以上の構成により着脱自在の表紙固定バンドおよび落とさない栞として使用する紐である。【選択図】図１
2007230198.tif 000002
【特許請求の範囲】
【請求項１】
リング状のゴム製紐により、書籍形状（本、ノート、手帳類）の裏表紙に装着し、表紙固定バンドおよび栞紐として利用する伸縮性ゴム紐。
【請求項２】
装着する本体の大きさを固定する場合には、裏表紙装着用の１紐と２紐の材質は伸縮性のない材質でも可能。
【請求項３】
裏表紙装着用の  １紐と２紐の形状は幅を広げることにより、表紙固定用および栞用の３紐を複数並行に取り付けることにより、表紙固定と栞が同時に使用出来る。
【発明の詳細な説明】
【技術分野】
【０００１】  本発明は、書籍や手帳、ノートなどに装着し表紙を固定したり、落とさない栞として使用する紐に関するものである。
【背景技術】
【０００２】  従来、一部の手帳および書籍にはゴム製の表紙を固定するバンドが装着されており、手帳が勝手に開閉しないようになっている。また、単行本や文庫本の一部には布製の栞紐が装着されているが、大半は長方形の紙片を挿む込むことによって、栞としており使用中によく紛失することが知られている。
【発明の開示】
【発明が解決しようとする課題】
【０００３】  手帳の固定バンドは手帳が勝手に開閉しないようになり頁の端が折れたり、中に挿みこんだメモ等が落とさないという利点があったが、製造段階で装着する必要があり使用後の再利用ができなかった。また、栞についても布製栞紐は再利用出来ないし、紙片を挿む栞は本体に固定装着されていないので、何度でも利用できるがよく紛失するという問題点があった。
本発明は、以上の問題点を解決し、表紙固定バンドや栞紐が製造時に装着されていない手帳や書籍類に自在に着脱可能な表紙固定バンドおよび紛失しない栞として使用できるようになされたものである。
【問題を解決するための手段】
【０００４】  ３本のゴム紐（帯状）の両端を結合させる。２本で手帳、書籍等の裏表紙を挟むことでゴムの弾力を利用して装着する。残りの１本を表紙に回して表紙固定バンド、もしくは頁に挿むことで栞として使用する。
本発明は、以上の構成により着脱自在の表紙固定バンドおよび落とさない栞として使用する紐である。
【発明の効果】
【０００５】  本発明を表紙固定バンド、布製栞紐を製造時に装着されていない手帳や書籍、ノート類に後から装着することにより、簡単に表紙を固定でき勝手に開閉しないようにすることが出来、また、落とさない栞紐として使用出来、書籍等使用後も別の書籍等に付け替えることにより、何回でも使用出来るものである。
【発明の実施の最良の形態】
【０００６】以下、本発明の実施の形態を説明する。
（イ）伸縮性のあるゴムからなる帯状紐の裏表紙の外側固定用紐（１）、裏表紙の内側固定用紐（２）、表紙外側固定用もしくは栞紐（３）を両端で結合する。
本発明は以上の構成からなる。
本発明を使用するには、固定用紐（１）（２）で書籍本体の裏表紙を挟み込むように装着固定させる。次に表紙外側固定用もしくは栞紐（３）を外側よりまわして表紙を閉じた位置に固定したするか、任意の頁に挿み栞として使用する。本発明を２個装着することにより、表紙の固定および、栞を同時に使用することも可能。
【図面の簡単な説明】
【０００７】
【図１】本発明の斜視図
【図２】本発明の装着図（表紙固定バンドとして使用時）
【図３】本発明の装着図（栞紐としての使用時）
【符号の説明】
【０００８】（１）裏表紙外表側固定用紐バンド、（２）裏表紙の内側固定用紐バンド、（３）表紙外側固定用バンドもしくは栞紐バンド
【図１】
2007230198.tif 000003
【図２】
2007230198.tif 000004
【図３】
2007230198.tif 000005
(57)【要約】      （修正有）【課題】針金入りひも閉じ式パンチ穴、ルーズリーフ、用紙ファイラーに取り付けるカバーを作る。【解決手段】布や透明のビニールなどで表紙、裏表紙の位置にポケット（１０）（１０）を設け台紙（１１）（１１）や光沢紙（１２）（１２）を入れ、カバー（１）（１）の表紙、裏表紙となる位置に表紙のパンチ穴（２）（２）と裏表紙のパンチ穴（３）（３）をあける。【選択図】図２
2007230196.tif 000002
【特許請求の範囲】
【請求項１】
パンチ穴、ルーズリーフ、用紙ファイラーの表紙と裏
表紙のパンチ穴の位置にパンチ穴を施したファイラーのカバー
【発明の詳細な説明】
【発明の詳細な説明】
【技術分野】
【０００１】本発明は、前出願の、針金入りひも綴じ式パンチ穴、ルーズリーフ、用紙ファイラーの技術を補完する技術で、そのカバーに関する技術である。
【背景技術】
【０００２】針金入りひもと、座金を用いてパンチ穴用紙や、ルーズリーフ用紙を閉じるファイラーを前回の出願において出願した。
【発明が解決しようとする課題】
【０００３】これらには次の様な欠点があった。
既存のバインダーを用いて保存する方法しかなかった。
【課題を解決する為の手段】
【０００４】カバー（１）（１）の表紙、裏表紙となる位置に表紙のパンチ穴（２）（２）と裏表紙のパンチ穴（３）（３）をあける。
【発明を実施するための最良の形態】
【０００５】パンチ穴の開いた座板（４）（４）のパンチ穴（５）（５）の位置に表紙のパンチ穴（２）（２）と裏表紙のパンチ穴（３）（３）がくるようにカバー（１）（１）にパンチ穴を開ける。紐付き座板（６）（６）の紐（７）（７）をはずし、裏表紙のパンチ穴（３）（３）に紐（７）（７）を通し再び座板（６）（６）の穴（８）（８）に紐（７）（７）を通しこの紐（７）（７）に用紙（９）（９）と座板（４）（４）を通し、最後に表紙のパンチ穴（２）（２）
を内側から通して、紐（７）（７）を中央で拠って綴じる。
【実施例】
【０００６】    布、ビニールにポケット（１０）（１０）をも設け、其処に台紙（１１）（１１）や、光沢紙（１２）（１２）になどを入れて作ったカバー（１３）（１３）にファイラーの、パンチ穴（５）（５）や（８）（８）がくる位置に、穴（２）（２）と（３）（３）を開け、ホール金（１４）（１４）でカバーを座板（４）（４）とで挟みホール（１１）（１１）を取り付けて。カバー（１３）（１３）を作る。使用する時は、ファイラーの針金入りひも（７）（７）を裏表紙のホール（１１）（１１）に通し、用紙（９）（９）を通し、その上から表紙のホール（１１）（１１）を通して其処で紐を中央に寄せてよって綴じる。ユーザーは透明のビニールのポケットにある、光沢紙に写真やデザインをパソコンでプリントアウトして好きなデザインにすることも出来る。
【発明の効果】
【０００７】１）  バインダーではなく本やノートのようにファイルして保存し楽しめる。
２）  透明のビニールカバーのポケットに光沢紙の台紙を入れることで、パソコンなどで自由にデザインして使える。
３）  ノートする代わりに、パソコンなどでプリントアウトしたものをファイルしてオリジナルの本を作ることが出来る。
４）  布製のカバーなどで豊富なデザインを楽しめる。
５）  書くだけのノートから作るノートへ変身する。
６）  カバーの着せ替えが簡単に出来る。
【図面の簡単な説明】
【図１】本発明の図
【図２】本発明の使用方法の図
【図３】本発明の実施例の断面図
【図４】本発明の、実施例の使用図
【符号の説明】
（１）  カバー
（２）  表紙のパンチ穴
（３）  裏表紙のパンチ穴
（４）  パンチ穴の開いた座板（上用）
（５）  座板（４）（４）のパンチ穴
（６）  針金入り紐付き座板
（７）  針金入り紐
（８）  座板（６）（６）のパンチ穴
（９）  ファイル用紙
（１０）表紙、裏表紙の台紙を入れるポケット
（１１）台紙
（１２）光沢紙
（１３）実施例のカバー
（１４）ホール金を取り付けたホール
【図１】
2007230196.tif 000003
【図２】
2007230196.tif 000004
【図３】
2007230196.tif 000005
【図４】
2007230196.tif 000006
(57)【要約】【課題】最近の家電製品などの取扱説明書は、危険防止や安全な取扱の記述が多いい上、機器の多機能化にともなってページ数が増えている。このため、家庭にあるパンチではバインダーに綴じる穴が開けられず、ビニールの袋を綴じこんだファイルブックの袋にも収納できず、保管方法に苦労している。【解決手段】右半面に両面テープを設けた、透明で、縦長のビニールのシートの左半面を裏面に圧着した板で、右半面の両面テープの被膜を剥がして冊子を貼り、板の右側面の上下に装着した金具で冊子を押さえることで、家庭にあるパンチでは穴が開けられない厚さの冊子を、簡便にバインダーに綴じることができ、冊子に添付されている別刷りの書類は、板の裏面につけた袋に入れることで、冊子と一体で保管できることを特徴としたファイル用補助具。【選択図】図７
2007230199.tif 000002
【特許請求の範囲】
【請求項１】
右半面に両面テープを設けた、透明で、縦長のビニールのシートの左半面を裏面に圧着した板で、右半面の両面テープの被膜を剥がして冊子を貼り、板の右側面の上下に装着した金具で冊子を押さえることで、家庭にあるパンチでは穴が開けられない厚さの冊子を、簡便にバインダーに綴じることができ、冊子に添付されている別刷りの書類は、板の裏面につけた袋に入れることで、冊子と一体で保管できることを特徴としたファイル用補助具。
【発明の詳細な説明】
【技術分野】
【０００１】  本発明は、家庭で保管している電気製品などの取扱説明書は、最近ページ数が増え、家庭にあるパンチではバインダーに綴じるための穴が開けられないものが多くなっている。このような厚さの冊子を、穴を開けずに、簡便にバインダーにファイルし、さらに、保証書等の添付書類は、裏面につけた袋に収納することで冊子と一体で保管できる、冊子を貼ってファイルするファイル用補助具に関するものである。
【背景技術】
【０００２】  従来、保管の必要な冊子が薄いときは、冊子に直接穴を開けてバインダーに綴じるか、ビニールの袋を綴じこんだファイルブックの袋に入れて保管した。
【発明の開示】
【発明が解決しようとする課題】
【０００３】  そのために、次のような問題点があった。
（イ）家電製品などの取扱説明書は、本体製品を購入してしばらくは、手元に置いて読み返すが、その後は必要なときに読み返すために、保証書等と共に各家庭で保管している。
（ロ）しかし、最近の取扱説明書は、危険防止や安全な取扱の記述が多いい上、機器の多機能化にともなってページ数が増えてきている。
（ハ）このため、家庭にあるパンチでは、バインダーに綴じるための穴が開けられない上、ビニールの袋を綴じこんだファイルブックの袋に入れるのも困難であり、書棚の本の間に挟んで保管しているが、取扱説明書の多くは、表紙が薄く、週刊誌と同じ中綴じのものが多く、書棚で埋没したり中折れするため、保管に苦労している。
本発明は、これらの問題点を解決するためになされたものである。
【課題を解決するための手段】
【０００４】  右半面に両面テープを設けた、透明で、縦長のビニールのシートの左半面を裏面に圧着した板で、右半面の両面テープの被膜を剥がして冊子を貼り、板の右側面の上下に装着した金具で冊子を押さえることで、家庭にあるパンチでは穴が開けられない厚さの冊子を、簡便にバインダーに綴じることができ、冊子に添付されている別刷りの書類は、板の裏面につけた袋に入れることで、冊子と一体で保管できることを特徴としたファイル用補助具。
【発明の効果】
【０００５】  両面テープの被膜を剥がして、冊子を圧着してから中央のページを開き、冊子を押さえる金具を折り込むだけで、冊子に穴を開けず、簡便にバインダーにファイルできる。また、冊子に添付されている別刷りの書類は、板の裏面につけた袋に収納することで、冊子と一体で保管できる。
【発明を実施するための最良の形態】
【０００６】  以下、本発明の実施の形態について説明する。
（イ）基板１は、色のついた細くて薄いプラスチックの板で、左側にバインダーに綴じるための穴２を設ける。
（ロ）基板１の上部と下部は、少し厚くして、上部の右側面の上と、下部の右側面の下に、冊子を押さえるための針金の金具３を刺しこんで固着してから、上の金具３は下に、下の金具３は上に、それぞれ折り曲げる。
（ハ）シート４は、透明で薄いビニールのシートで、左半分は縦と横が基板１と同じだが、右半分は、上下を左半分より少し短くして、基板１の右側面の上下に刺しこんだ金具３の間に収まる長さにする。
（ニ）シート４の右半面には、幅が右半面より少し小さい両面テープ５を右の縁に沿って上から下まで貼り付け、左半面は、バインダーに綴じるための穴２を設けてから、基板１の裏面に接着する。
（ホ）ビニールの袋６は、縦がシート４の右半分と同じで、開口部７を上にして左側にバインダーに綴じるための穴２を開けた糊代８を設け、袋６の上下をシート４の右半面の上下に合せて、糊代８を基板１の裏面にシート４に重ねて接着する。
本発明は以上のような構成で、これを使用するときは、基板１の上下に装着した金具３を外方向に押し広げ、両面テープ５の被膜９を剥して粘着面１０を露出してから、冊子１１の綴じこみ側の側面を、基板１の右の側面に合せて粘着面１０に圧着した後、冊子１１の中央を開き、外方向に広げておいた金具３を折り戻して冊子１１を押さえる。
さらに、冊子１１に添付されている別刷りの書類１２は、冊子１１を左に折り返して袋６に入れてから、基板１の穴２にバインダー１３のパイプ１４を通して、バインダー１３に綴じることで、冊子１１と別刷りの書類１２を一体で保管する。
なお、上記の基板１については、色をつけることとしているが、必ずしも色をつけることを条件としないことは当然である。基板１に索引的な要素を持たせる意味で色をつけたものであるが、後付で色表示をすることが容易にできるからである。
【図面の簡単な説明】
【０００７】
【図１】本発明の基板の平面図
【図２】本発明の基板の斜視図
【図３】本発明のシートの平面図
【図４】本発明の基板にシートを装着した平面図
【図５】本発明の基板にシートを装着した斜視図
【図６】本発明の袋の斜視図
【図７】本発明の斜視図
【図８】本発明の使用説明図
【図９】本発明の使用説明図
【図１０】本発明の使用説明図
【図１１】本発明の使用説明図
【図１２】本発明をバインダーに綴じた使用説明図
【符号の説明】
【０００８】  １  板
２  穴
３  金具
４  シート
５  両面テープ
６  袋
７  開口部
８  糊代
９  被膜
１０  粘着面
１１  冊子
１２  書類
１３  バインダー
１４  パイプ
【図１】
2007230199.tif 000003
【図２】
2007230199.tif 000004
【図３】
2007230199.tif 000005
【図４】
2007230199.tif 000006
【図５】
2007230199.tif 000007
【図６】
2007230199.tif 000008
【図７】
2007230199.tif 000009
【図８】
2007230199.tif 000010
【図９】
2007230199.tif 000011
【図１０】
2007230199.tif 000012
【図１１】
2007230199.tif 000013
【図１２】
2007230199.tif 000014
(57)【要約】      （修正有）【課題】本発明は、二種類の液体及び粉体を混合した場合、物質変化が進み本来の性質  が損なわれることを避けるために、使用する直前に簡単に混ぜ合わせる事が出来るようにする。【解決手段】ボトルなどの容器本体とその底部とをねじで回転移動可能とし、底部内側に内容物ＡとＢとが混ざらないように遮蔽する仕切り（Ｃ）を設けておく。内容物ＡとＢとを混合したい場合は、例えばスプレーガンがセットされている事例では、底部に延びているチューブの接近により上記仕切り（Ｃ）を移動させ遮蔽を切り離すことによって、内容物ＡとＢとを混合させるものである。【選択図】図１
2007230647.tif 000002
【特許請求の範囲】
【請求項１】
ボトルなどの容器で２種類の物体を簡単に混合できる容器であること。
【請求項２】
ボトルなどの容器でスプレーガンがセットされている場合でも、底の部分で機能させることで、請求項１を満たすこと。
【請求項３】
請求項１にある、２種類の物体とは、液体、粉体など形状の異なるものや、混ざり合うと硬化したり、変化して長期間保存の利かないものを含む。
【請求項４】
ボトルなどの容器は、一体型でありその中に請求項１の要求が満たされること。
【発明の詳細な説明】
【発明の詳細な説明】
従来お茶や、２液タイプの塗料など混合してしまうと効果や賞味期限が発生するものは作り置きが出来なかった。この問題を解決すべく、消費者やその使用者が使い始める時が一番新しい混合物となるよう考案された容器である。
【発明が解決しようとする課題】
本発明は、同一容器の中で、２種類の異なる物体を保有し、必要な時に混合して最終目的の成分にする為に、同一容器の中で分離して保存し、必要な時に簡単に混合できることである。
【課題を解決するための手段】
課題を解決するための手段として、図１のような構造を考案した。
図２の▲１▼の部分を矢印方向に回し、容器に記されている三角印を合わせると、図１の▲２▼の部分と▲３▼の接点がＣを押し上げ、分離させることとなり、Ａの内容物とＢの内容物が混ざり合う事が出来るものである。
この図では、上部にスプレーガンが装着されているものであることを想定している為、底の部分として、Ｃの脱着部分にスプレーガンのストロー部分が入るよう設計されているが、もしスプレーガンが無い状態なれば、上部の蓋に当たる部分での機能として果たすことが出来る。
【発明の効果】
以上説明したように、混合してしまうと、賞味期限や風味、若しくは効能が落ちていくものに対して、本発明は常に使用するときに新しい状態で使用できることである。この例は、お茶、紅茶、コーヒーなどの風味を大切にする飲料水や、混ぜると硬化したり、物質変化のするもの等を手を汚さず混ぜ合わせることに役立つものである。
【図１】
2007230647.tif 000003
【図２】
2007230647.tif 000004
【手続補正書】
【提出日】平成18年5月8日(2006.5.8)
【手続補正２】
【補正対象書類名】明細書
【補正対象項目名】全文
【補正方法】変更
【補正の内容】
【発明の詳細な説明】
【発明の詳細な説明】
従来お茶や、２液タイプの塗料など混合してしまうと効果や賞味期限が発生するものは作り置きが出来なかった。この問題を解決すべく、消費者やその使用者が使い始める時が一番新しい混合物となるよう考案された容器である。
【発明が解決しようとする課題】
本発明は、同一容器の中で、２種類の異なる物体を保有し、必要な時に混合して最終目的の成分にする為に、同一容器の中で分離して保存し、必要な時に簡単に混合できることである。
【課題が解決するための手段】
課題を解決するための手段として、図１のような構造を考案した。
図２の▲１▼の部分を矢印方向に回し、容器に記されている三角印を合わせると、図１の▲２▼の部分と▲３▼の接点がＣを押し上げ、分離させることとなり、Ａの内容物とＢの内容物が混ざり合う事が出来るものである。
この図では、上部にスプレーガンが装着されているものであることを想定している為、底の部分として、Ｃの脱着部分にスプレーガンのストロー部分が入るよう設計されているが、もしスプレーガンが無い状態なれば、上部の蓋に当たる部分での機能として果たすことが出来る。
【発明の効果】
以上説明したように、混合してしまうと、賞味期限や風味、若しくは効能が落ちていくものに対して、本発明は常に使用するときに新しい状態で使用できることである。この例は、お茶、紅茶、コーヒーなどの風味を大切にする飲料水や、混ぜると硬化したり、物質変化のするもの等を手を汚さず混ぜ合わせることに役立つものである。
【図面の簡単な説明】
【図１】のＡの部分に液体（水溶液）を入れておき、Ｂの部分にＡ液体に溶かしたい粉体を入れる。
【図２】のように、三角印が合うまで底の部分を回転させる。
【図１】の斜線の部分が螺子により矢印のように押し上げられ円錐形のＣ部分を同時に押し上げ▲２▼の部分を切り離しＡＢの異なる物質が混合される。
【図１−２】のように切り離されたＣの部分がノズルに押されボトル内が同一の部屋になる
【手続補正４】
【補正対象書類名】図面
【補正対象項目名】全図
【補正方法】変更
【補正の内容】
【図１】
2007230647.tif 000005
【図１−２】
2007230647.tif 000006
【図２】
2007230647.tif 000007
(57)【要約】【課題】少量の醤油を使いたい場合醤油差しに移して使っていたが、移す際に醤油がこぼれてしまい、拭き取る手間がかかる。又、醤油差しには、ふたが付いていないのが大半で、衛生的にも良くない。これらを解決するために、ペットボトル用液体注ぎ口キャップを提供する。【解決手段】醤油ペットボトルのネジ山とキャップのネジ山（図１）を合わせて、ペットボトルに取り付けられる様にする。キャップに注ぎ口（図２）を設ける。キャップに跳ね上げふた（図３）を設ける。又キャップの中の構造を、醤油差しと同様の構造にし、醤油が出やすく、醤油の切れが良い構造にする。以上の様に構成されたキャップを、醤油ペットボトルに直接取り付けて、醤油差しとして使う。【選択図】図１
2007230645.tif 000002
【特許請求の範囲】
【請求項１】
（イ）ペットボトルにあるネジ山とキャップのネジ山の形を合わせて、ペットボトルに取り付けられるキャップ。
（ロ）注ぎ口を一カ所設けるキャップ。
（ハ）跳ね上げふたを設けるキャップ。
以上の構成からなる、ふた付き液体注ぎ口キャップ。
【発明の詳細な説明】
【技術分野】
【０００１】本発明は、醤油差しに移し変えずに、醤油ペットボトルごと醤油差しとして使うための、ペットボトル用ふた付き液体注ぎ口キャップに関するものである。
【背景技術】
【０００２】従来では、少量の醤油を使いたい場合、醤油差しに移し変えて使っている。
【発明の開示】
【発明が解決しようとする課題】
【０００３】醤油を醤油差しに移す際、醤油がこぼれて手が汚れたり、醤油ペットボトルや醤油差しについてしまい、拭き取る手間がかかる。又、醤油差しは、ふたが付いていないのが大半で、衛生的にも良くない。何度も使用していると、醤油差しの中が黒くなってしまい、洗うのが大変である。醤油差しが倒れてしまうと、醤油がこぼれてしまう。醤油差しを使わずに、ペットボトルのまま少量の醤油を使うと、量を調節するのが難しく、思った以上に沢山入ってしまう。醤油差しの中の醤油がなくなったら、何度も足していかないといけないので、めんどくさい。本発明は、これらを解決するためになされた発明である。
【課題を解決するための手段】
【０００４】醤油ペットボトルのネジ山とキャップのネジ山（図１）を合わせて、ペットボトルに取り付けられる様にする。キャップに注ぎ口（図２）を設ける。キャップに跳ね上げふた（図３）を設ける。又、キャップの中の構造を、醤油差しと同様の構造にし、醤油が出やすく、醤油の切れが良い構造にする。以上の様に構成されたキャップを、醤油ペットボトルに直接取り付けて、醤油差しとして使う。
【発明の効果】
【０００５】醤油差しに移し変える事なく、醤油ペットボトルに本発明のキャップを付けるだけで醤油差しになり、少量の醤油を使いたい場合でも、沢山入ってしまう事なく、調節しながら使いたい量だけを入れる事が出来る。醤油がこぼれてしまう心配もなく、ふきんで拭き取る手間もかからない。ふたの付いていない醤油差しに比べて、衛生的である。汚れてしまった醤油差しを洗う必要もない。ふたが付いているので、倒してしまってもこぼれる事はなく、ほこりが入ってしまう事もない。又醤油だけでなく、他の液体の調味料類にも、応用出来る。
【発明を実施するための最良の形態】
【０００６】醤油ペットボトルのネジ山とキャップのネジ山（図１）を合わせて、ペットボトルに取り付けられる様にする。キャップに注ぎ口（図２）を設ける。キャップに跳ね上げふた（図３）を設ける。又、キャップの中の構造を、醤油差しと同様の構造にし、醤油が出やすく、醤油の切れが良い構造にする。以上の様に構成されたキャップを、醤油ペットボトルに直接取り付けて、醤油差しとして使う。
【図面の簡単な説明】
【図１】斜視図
【図２】使用時の斜視図
【符号の説明】
１、ネジ山
２、注ぎ口
３、跳ね上げふた
【図１】
2007230645.tif 000003
【図２】
2007230645.tif 000004
(57)【要約】【課題】缶ビールや缶詰、瓶、パックなどを保存する時、特に冷蔵庫など場所が限られている場合、積み重ねることが困難で、スペースのロスが大きかった。このような課題を解消するために本発明品を提供する。【解決手段】円筒１の内部に竹の節状の「止め」２を付けた。竹の節状の「止め」の中心には穴３を開け、瓶の口も差し込めるよう円周に切れ目４を入れた。缶、瓶、パック等を上下に差し込み。積み重ねを可能にした。【選択図】図２
2007230648.tif 000002
【特許請求の範囲】
【請求項１】
缶、瓶、パック等、丸、四角形状の積み重ね器具
【発明の詳細な説明】
【発明の詳細な説明】
【発明の属する技術的分野】
【０００１】この発明は、円筒または四角筒の内部に止めを付け、缶、瓶、パック等を上下に差し込み積み重ねを可能にするものである。
【背景技術】
【０００２】従来は、このような器具はなかった。
【発明が解決しようとする課題】
【０００３】缶ビールや缶詰、瓶、パックなどを保存する時、特に冷蔵庫など場所が限られている場合、積み重ねることが困難で、スペースのロスが大きかった。
【課題を解決するための手段】
【０００４】円筒または四角筒の内部に竹の節状の止めを付けた。缶、瓶、パック等を上下に差し込み積み重ねを可能にした。
【発明を実施するための最良の形態】
【０００５】以下、本発明の実施の形態について説明する。
イ円筒または四角筒の内部に竹の節状の「止め」を付けた。
ロ竹の節状の「止め」の中心には穴を開け、瓶の口も差し込めるよう円周に切れ目を入れた。
ハ缶、瓶、パック等を上下に差し込み。積み重ねを可能にした。
【発明の効果】
【０００６】缶ビールや缶詰、瓶、パックなどを保存する時、特に冷蔵庫など場所が限られている場合、積み重ねることが困難でスペースのロスが大きかったが、本発明品は簡単に２段、３段に重ねることができ大変重宝である。
【図面の簡単な説明】
【図１】本発明品の形態図である。
【図２】本発明品の使用断面図である。
【図３】本発明品の使用断面図である。
【符号の簡単な説明】
１円筒
２竹の節状止め
３穴
４切れ目
【図１】
2007230648.tif 000003
【図２】
2007230648.tif 000004
【図３】
2007230648.tif 000005
(57)【要約】【課題】  資源の再利用を促進するためには，単に燃えるゴミと燃えないゴミという区分ではなく，例えば，アルミ缶・スチール缶などの材質別に回収することが必要であるが，これらの分別はゴミを廃棄する個人の判断によっており，簡易に分別回収できる技術が望まれていた。【解決手段】  複数の投入口と，投入口指示手段と，分別回収情報識別手段とを有する分別回収ゴミ箱である。ゴミを投入する際に，ゴミに表示されている分別回収情報を識別し，ゴミを投入すべき投入口を表示する。また、投入すべき投入口に設置したランプが点灯／点滅する。【選択図】図１
2007230664.tif 000002
【特許請求の範囲】
【請求項１】
複数の投入口と，投入口指示手段と，分別回収情報識別手段とを有する分別回収ゴミ箱であって，
ゴミを投入する際に，該分別回収情報識別手段が該ゴミに表示されている分別回収情報を識別し，
投入口指示手段が該ゴミを投入すべき投入口を表示することを特徴とする分別回収ゴミ箱。
【請求項２】
前記投入口指示手段は，投入すべき投入口に設置したランプが点灯／点滅することを特徴とする請求項１記載の分別回収ゴミ箱。
【発明の詳細な説明】
【技術分野】
【０００１】
本発明は，アルミ缶，スチール缶，ペットボトルなどの分別回収に対応するゴミ箱に関する。
【背景技術】
【０００２】
近年，地球環境保全の観点から，資源の再利用を促進するために，ゴミの分別回収を実施する自治体が増えている。これに対応して，紙コップと瓶缶とを分別回収できるゴミ箱が提案されている。（例えば特許文献１）
【０００３】
【特許文献１】特開平８−６７３０６
【発明の開示】
【発明が解決しようとする課題】
【０００４】
例えば，特許文献１で提案されているゴミ箱では，投入されたゴミの堅さで紙と紙以外とに分別するのみであり，アルミ缶・スチール缶などの材質別に回収できるものではない。
【０００５】
資源の再利用を促進するためには，単に燃えるゴミと燃えないゴミという区分ではなく，例えば，アルミ缶・スチール缶などの材質別に回収することが必要であるが，これらの分別はゴミを廃棄する個人の判断によっており，簡易に分別回収できる技術が望まれていた。
【課題を解決するための手段】
【０００６】
本発明は，複数の投入口と，投入口指示手段と，分別回収情報識別手段とを有する分別回収ゴミ箱であって，
ゴミを投入する際に，該分別回収情報識別手段が該ゴミに表示されている分別回収情報を識別し，
投入口指示手段が該ゴミを投入すべき投入口を表示する分別回収ゴミ箱である。
【発明の効果】
【０００７】
本発明によれば，ゴミを分別回収ゴミ箱に近づけると，分別回収情報を識別し，投入すべき投入口が表示されるので，ゴミを廃棄する個人の判断によらず，簡易に分別回収が可能となる。
【発明を実施するための最良の形態】
【０００８】
本発明の第一の実施例を図１で説明する。
【０００９】
廃棄しようとするゴミを分別回収情報リーダー１に近づけると，ゴミに表示されている分別回収情報（例えばバーコード，リサイクルマークなど）を識別して，投入すべき投入口２に対応する投入口指示ランプ３を一定時間点灯／点滅させる。
【００１０】
廃棄者は，この投入口指示ランプ３の点灯／点滅を確認して，対応する投入口２へゴミを廃棄する。
（実施例２）
【００１１】
本発明の第二の実施例を図２で説明する。
【００１２】
廃棄しようとするゴミを分別回収情報リーダー１に近づけると，ゴミに表示されている分別回収情報（例えばバーコード，リサイクルマークなど）を識別して，投入すべき投入口２を投入口指示画面４に一定時間表示させる。
【００１３】
廃棄者は，この投入口指示画面４の表示を確認して，対応する投入口２へゴミを廃棄する。
【００１４】
投入口指示画面の表示方法は，例えば「１番投入口」「２番投入口」「３番投入口」のように番号で表示してもよいし，「アルミ」「スチール」「プラスチック」のように材質で表示してもよい。
【図面の簡単な説明】
【００１５】
【図１】本発明の第一の実施例を示す図である。
【図２】本発明の第二の実施例を示す図である。
【符号の説明】
【００１６】
１…分別回収情報リーダー
２…投入口
３…投入口指示ランプ
４…投入口指示画面
【図１】
2007230664.tif 000003
【図２】
2007230664.tif 000004
(57)【要約】【課題】  本発明は男性用シャツ、女性用シャツ（ワイシャツ、カジアルシャツ、形状安定シャツ、ストレッチシャツ等）の襟元のボタンを留めない状態だと襟元が動きに対して乱れるのを装身具も兼ねて固定して、乱れをなくすることが出来又アクセントをつける事が目的である。【解決手段】本発明は男性用シャツ、女性用シャツ（ワイシャツ、カジアルシャツ、形状安定シャツ、ストレッチシャツ等）の襟元のボタンを留めないで開放した状態でも襟元が乱れなく固定でき、また襟元の装身具としても提供できる。【選択図】    図１
2007007349.tif 000002
【特許請求の範囲】
【請求項１】
男性用女性用シャツ（ワイシャツ、カジアルシャツ、形状安定シャツ、ストレッチシャツなど）の衿元の端部を留め金具でシャツ最上部ボタンとボタン穴を利用して留め金具で固定する又は襟元の両端の端部を留め金具（装身具表面飾り部分が金属製、プラスチック、自然石、貝類等を加工して装身具としたもの）で固定して襟元にアクセントを付け装身具とする。
【請求項２】
留め金具でシャツの最上部ボタンを挟み留め固定する。又留め金具でシャツの最上部ボタンを留め金具裏側の袋状の中に入れ固定する。
【発明の詳細な説明】
【技術分野】
【０００１】男性用女性用シャツの襟元の固定と装身具に関する。
【背景技術】
【０００２】従来の男性用女性用シャツの襟元はボタンを留めないで襟元を開けた時襟元が乱れやすい為固定出来る様にすること、又装身具としても兼ねることが出来る様にする。
【発明の開示】
【発明が解決しようとする課題】
【０００３】従来の男性用女性用シャツの襟元はボタンを留めないで襟元を開けた時襟元が乱れやすくなり、乱れるとだらしなく見える様になる。
【課題を解決するための手段】
【０００４】以上の課題を解決するために、第一発明はシャツの襟元に留め金具を設けて固定する事である。
又第二発明は、留め金具を装身具とすることである。
【発明の効果】
【０００５】第一発明、第二発明により、シャツの襟元の留め金具を設けたことにより襟元の乱れを抑える事も出来適当な開口の固定も出来装身具としても兼ねることができる。
【発明を実施するための最良の形態】
【０００６】この発明の実施形態を、図１に示す。
シャツの留め金具は（装身具表面飾り部分が金属製、プラスチック、自然石、貝類等を加工して装身具としたもの）を使用する。
【実施形態の効果】
【０００７】この実施形態によれば、留め金具を使用すれば襟元の開口が固定でき動きに対して崩れることが無く装身具としても維持できる。
【図面の簡単な説明】
【０００８】
【図１】本発明の（請求項１）を示す図である。
【図２】襟元両端部及び最上部ボタン、ボタン穴を示す。
【図３】本発明の（請求項２）の留め金具（１）表面を示す。
【図４】本発明の（請求項２）の留め金具（１）裏面を示す。
【図５】本発明の（請求項２）の留め金具（１）側面を示す。
【図６】本発明の（請求項２）の留め金具（１）斜視面を示す。
【図７】本発明の（請求項２）の留め金具（２）表面を示す。
【図８】本発明の（請求項２）の留め金具（２）裏面を示す。
【図９】本発明の（請求項２）の留め金具（２）側面を示す。
【図１０】本発明の（請求項２）の留め金具（２）斜視面を示す。
【図１１】本発明の（請求項２）の留め金具（３）表面を示す。
【図１２】本発明の（請求項２）の留め金具（３）裏面を示す。
【図１３】本発明の（請求項２）の留め金具（３）側面を示す。
【図１４】本発明の（請求項２）の留め金具（３）斜視面を示す。
【符号の説明】
【０００９】１  シャツ最上部ボタン穴を利用して留め金具を留める。
２  シャツ最上部ボタンを利用して留め金具を留める。
３  襟元両端部を利用して留め金具を留める。
４  留め金具（表面は装身具として加工）
５  すべり止め
６  ボタンを留めてある糸のガイド欠けこみ部分
７  シャツ最上部のボタン穴に通して９０度回転さす。
８  バネ
９  シャツの最上部ボタンを袋状の中に入れる。
１０  シャツに着けた時下向きにする。
１１  襟元の両端を挟み留める。
【図１】
2007007349.tif 000003
【図２】
2007007349.tif 000004
【図３】
2007007349.tif 000005
【図４】
2007007349.tif 000006
【図５】
2007007349.tif 000007
【図６】
2007007349.tif 000008
【図７】
2007007349.tif 000009
【図８】
2007007349.tif 000010
【図９】
2007007349.tif 000011
【図１０】
2007007349.tif 000012
【図１１】
2007007349.tif 000013
【図１２】
2007007349.tif 000014
【図１３】
2007007349.tif 000015
【図１４】
2007007349.tif 000016
(57)【要約】【課題】これまで靴底（地面と接する部分）は、単なる靴の底部をなす部分として、あるいは滑り止め機能や歩行時の衝撃を緩衝する機能としての役割など、専ら実用面からのみしか着目されなかった。すなわち、靴底を見せる（魅せる）ためのお洒落用品として、あるいは宣伝の広告媒体として認識されることはなかった。【解決手段】プラスチックあるいは硬質ゴムからなる薄いシートにあらかじめデザイン画や広告をプリントしておき（自分で描画しても良い）、使用時にはシートの裏側に貼付してある両面テープを剥がし靴底に接着させる。これにより、これまで顧みられなかった新たな足元のお洒落が創造され、また、新たな宣伝媒体としての可能性も生み出される。【選択図】  図１
2007007360.tif 000002
【特許請求の範囲】
【請求項１】
靴底に貼付して楽しむタイプのお洒落用品。
【請求項２】
あらかじめ図柄や絵、文字などがデザインされたシートを、あるいは自分で任意に描画したシートを靴底に貼付することで楽しむお洒落用品。
【請求項３】
宣伝内容などがプリントされたシートを靴底に貼付するタイプの広告媒体。
【発明の詳細な説明】
【技術分野】
【０００１】  本発明は、あらかじめ図柄や絵がデザインされたシートを、文字がプリントされたシートを靴底（地面に接する部分）に両面テープなどで貼付することにより、これまでになかった靴裏のお洒落を楽しむためのものである。あるいは、靴裏を広告媒体として使用することで、宣伝効果を期待することもできる。
【技術背景】
【０００２】  従来靴底は、靴本来の目的である足が汚れない、歩行時の衝撃を和らげる、あるいは滑らないように滑り止め効果を設けてあるなど実用面からしか着目されなかった。
一方、滑り止め効果を期待して、凹凸や溝が刻まれたシートを靴底に貼付するタイプのものは既に商品化されているが、お洒落用、あるいは宣伝効果を意図したものはない。
【発明の開示】
【発明が解決しようとする課題】
【０００３】  そのために次のような問題点があった。
（イ）靴自体は大変おしゃれであっても、靴底のデザインには関心がもたれなかった。
（ロ）仮に靴底のデザインに工夫を凝らしても、磨耗する、あるいは汚染してしまうなどの問題点があり、長期間その美観を維持することが出来なかった。
（ハ）靴底が磨耗すれば、新しい靴に変えるか、靴底のみを張り替える必要があった。
（ニ）広告媒体として靴底が利用されることがなかった。
【課題を解決するための手段】
【０００４】  プラスチックあるいは硬質ゴムからなるシート板にあらかじめ図柄や文字をデザインしておき、あるいは広告などをプリントしておき（自分で書き入れてもよい）、使用時にはシート板の裏側に貼付してある両面テープで靴底に接着させる。
【発明の効果】
【０００５】  これまで顧みられなかった新たな足元のおしゃれが創造され、また、新たな広告媒体としての可能性も生み出される。一定の間隔で自由に張り替えが可能であるために美観が損なわれない。
靴底の磨耗を予防できる。さらに、雨で滑りやすくなった路面や雪道、氷道を歩行する際には、滑り止めとしての効果も期待できる。
【発明を実施するための最良の形態】
【０００６】以下、本発明実施のための概念的形態を説明する。
（イ）本体は靴底の大きさ、形態に応じたシート状のゴム板（天然ゴム、合成ゴム）、プラスチック板などよりなる。
（ロ）このシートの裏面（靴底と接着させる面）にはあらかじめ両面テープの片面を剥がし接着させておく。
（ハ）シートの表面（靴底と接着させる半対面）にはあらかじめ図柄、絵あるいは文字などをデザインしてプリントしておく。（使用者が自由に図柄、絵あるいは文字などを書き込めるように空白状態であってもよい）
（ニ）シートの表面には滑り止めのための凸凹を設ける。
本考案を使用するときには、シートの裏面に貼付されているテープの保護紙を剥がして靴底と接着させる。シートが汚れたり、接着性が落ち剥がれかけたり、あるいは図柄に飽きた場合には、新しいものに変更して使用する。
【図面の簡単な説明】
【０００７】
【図１】本発明使用時のイメージ図
【図２】本発明の表図
【図３】本発明の裏図
【図４】本発明の側面図
【符号の説明】
【０００８】  １  ゴム」（プラスチック）シート
２  両面テープ
３  シートの凹凸
【図１】
2007007360.tif 000003
【図２】
2007007360.tif 000004
【図３】
2007007360.tif 000005
【図４】
2007007360.tif 000006